(57)【要約】【課題】効果的な冷暖房効果を与えることができる木造家屋における冷暖房システムを提供する。【解決手段】木造家屋の床下空間に暖房手段としての温水パイプを設けると共に、屋根裏空間に冷房手段としてのエアコンを設け、断熱材による断熱層を外壁と内壁との間に配するに際して内壁と断熱層との間に通気層を形成し、この通気層の下端を前記暖房手段を設けた床下空間と連通させると共にその上端を前記冷房手段を設けた屋根裏空間に連通させる。暖房時、温水パイプからの暖気は床暖房に用いられると共に、この暖気が通気層を介して壁内を上昇して壁暖房が行われるので、室内空間の垂直温度分布が実質的に一定になる。冷房時は、エアコンからの冷気を部屋に送り込むことで該居室の冷房が行われると共に、この冷気が通気層を介して壁内を下降して壁冷房が行われるので、室内温度の垂直温度分布が実質的に一定になる。【選択図】図１
2008121210.tif 000002
【特許請求の範囲】
【請求項１】
木造家屋の床下空間に暖房手段を設けると共に屋根裏空間に冷房手段を設け、断熱材による断熱層を外壁と内壁との間に配するに際して内壁と断熱層との間に通気層を形成し、この通気層の下端を前記暖房手段を設けた床下空間と連通させると共にその上端を前記冷房手段を設けた屋根裏空間に連通させ、必要に応じて暖房手段による暖気を通気層を介して壁内を上昇させ、または冷房手段による冷気を通気層を介して壁内を下降させることにより、室内空間の垂直温度分布を実質的に一定にした冷暖房を可能にしたことを特徴とする、木造家屋における冷暖房システム。
【請求項２】
前記暖房手段が床下空間に通した温水パイプであって、該温水パイプからの暖気で床暖房を行うと共に暖気を通気層に上昇させて壁暖房を行うことを特徴とする、請求項１記載の木造家屋における冷暖房システム。
【請求項３】
前記冷房手段が屋根裏空間に設置したエアコンであって、該エアコンからの冷気を必要な部屋に送り込んで該部屋の冷房を行うと共に冷気を通気層に下降させて壁冷房を行うことを特徴とする、請求項１または２記載の木造家屋における冷暖房システム。
【発明の詳細な説明】
【技術分野】
【０００１】
本発明は木造家屋における冷暖房システムに関する。
【背景技術】
【０００２】
木造家屋においては、冷房用にエアコン、扇風機、冷風ファンなどが用いられ、暖房用にエアコン、電気式・温水式などの床暖房、灯油・ガス・電気などを熱源とするファンヒーター（ＦＦファンヒーターを含む）やストーブ、こたつ、電気カーペットなどが用いられている。
【０００３】
また、外壁通気工法と呼ばれるものが広く普及している。この外壁通気工法による木造家屋構造は、図３および図４に示すように、グラスウールなどの断熱材を充填した断熱層１を、外壁２との間に通気層４のための隙間を配して、外壁２と内壁３との間に介在させた壁構造を有しており、通気層４は外壁２の下端および上端（軒裏６）で開口している。このような家屋構造によれば、夏季に外気により外壁２が暖められても、通気層４を上昇する空気によって遮断され、断熱層１はごく僅かな輻射熱を受けるだけとなるので、室内温度の過度の上昇を防ぐことができる。
【発明の開示】
【発明が解決しようとする課題】
【０００４】
しかしながら、前述のような冷暖房機器を季節に応じて室内に設置することは簡便な方策ではあるが、室内の見栄えを悪くすると共に室内スペースを犠牲にし、不要な季節には収納スペースを必要とする。エアコンは冷暖房に共用することができるが、特に寒冷地の冬期などではエアコンだけでは十分な暖房効果を得ることができず、且つ、コスト高となる。
【０００５】
また、いずれの冷暖房手段を用いるとしても、室内において暖められた空気は室内空間を上昇し、冷まされた空気は室内空間を下降していくので、室内空間の垂直温度分布を一定にすることは不可能である。これは、階段ホールやリビングルームなどを１〜２階に亘る吹き抜け空間とした場合には特に顕著となり、場合によっては床上付近と天井付近とで１０℃以上もの温度差が生じてしまう
外壁通気工法は前述の作用を介して夏季の遮熱には有効であるが、室内温度の急激な上昇を抑えることはできても、冷房効果を与えるものではない。また、冬期は通気層４を上昇する空気自体も低温となっているので、通気層４による保温効果を期待することはできず、断熱層１の断熱材が持つ保温作用に止まり、暖房にはほとんど働かない。
【０００６】
したがって、本発明が解決しようとする課題は、特に寒冷地、とりわけ一年の間の寒暖の差が激しい山形地方などにおいても効果的な冷暖房効果を与えることができる木造家屋における冷暖房システムを提供することである。
【課題を解決するための手段】
【０００７】
この課題を解決するため、請求項１に係る発明は、木造家屋の床下空間に暖房手段を設けると共に屋根裏空間に冷房手段を設け、断熱材による断熱層を外壁と内壁との間に配するに際して内壁と断熱層との間に通気層を形成し、この通気層の下端を前記暖房手段を設けた床下空間と連通させると共にその上端を前記冷房手段を設けた屋根裏空間に連通させ、必要に応じて暖房手段による暖気を通気層を介して壁内を上昇させ、または冷房手段による冷気を通気層を介して壁内を下降させることにより、室内空間の垂直温度分布を実質的に一定にした冷暖房を可能にしたことを特徴とする、木造家屋における冷暖房システムである。
【０００８】
請求項２に係る発明は、請求項１記載の木造家屋における冷暖房システムにおいて、前記暖房手段が床下空間に通した温水パイプであって、該温水パイプからの暖気で床暖房を行うと共に暖気を通気層に上昇させて壁暖房を行うことを特徴とする。
【０００９】
請求項３に係る発明は、請求項１または２記載の木造家屋における冷暖房システムにおいて、前記冷房手段が屋根裏空間に設置したエアコンであって、該エアコンからの冷気を必要な部屋に送り込んで該部屋の冷房を行うと共に冷気を通気層に下降させて壁冷房を行うことを特徴とする。
【発明の効果】
【００１０】
本発明によれば、木造家屋の床下空間に暖房手段を設けると共に屋根裏空間に冷房手段を設け、断熱材による断熱層を外壁と内壁との間に配するに際して内壁と断熱層との間に通気層を形成し、この通気層の下端を前記暖房手段を設けた床下空間と連通させると共にその上端を前記冷房手段を設けた屋根裏空間に連通させた構成としているので、暖房時には、温水パイプからの暖気が床暖房に用いられると共に、この暖気が通気層を介して壁内を上昇して壁暖房が行われ、冷房時には、エアコンからの冷気が居室に送り込まれて各居室の冷房が行われると共に、この冷気が通気層を介して壁内を下降して壁冷房が行われるので、いずれの場合も室内温度の垂直温度分布を実質的に一定にすることができる。
【００１１】
したがって、特に寒冷地、とりわけ一年の間の寒暖の差が激しい山形地方などにおいても効果的な冷暖房効果を与えることができる。
【発明を実施するための最良の形態】
【００１２】
以下、図３を参照して本発明の好適な実施形態について説明する。図３において、符号１０は木造家屋、１１は基礎、１２は床、１３は屋根、１４は軒裏を示す。
【００１３】
この木造家屋１０の壁構造は、外壁１５と内壁１６との間にグラスウール、ロックウールなどの断熱材よりなる断熱層１７を設けているが、外壁通気工法の壁構造とは異なり、内壁１６と断熱層１７との間に通気層１８が形成され、その下端は床下空間１９に通じており、その上端は屋根裏空間２０に通じている。
【００１４】
床下空間１９には暖房手段としての温水パイプ２１が設置されている。温水パイプ２１は従来の温水式床暖房に用いられるものと同様であって良く、ガスボイラーなどの熱源（図示せず）によって熱せられた温水を循環させることができる。この温水は、室内に設置したパネルヒーター２２にも供給される。
【００１５】
屋根裏空間２０には冷房手段としてのエアコン２３が設置されている。エアコン２３は冷気を直接屋根裏空間２０に放出すると共に、配管２４を介してリビングルームや寝室、書斎などの冷房を必要とする部屋に冷気を送り込むことができるようになっている。
【００１６】
以上のように構成された木造家屋における冷暖房システムの作用について説明すると、冬季などにおいて暖房を必要とする場合は、前記ガスボイラーなどの熱源をＯＮにして床下空間１９の温水パイプ２１に温水を循環させる。温水パイプ２１からの暖気によって床１２が暖められ、伝導熱および輻射熱によって室内を効果的に暖房する。必要に応じてパネルヒーター２２による暖房も行われる。さらに、床下空間１９は壁内の通気層１８に連通しているので、温水パイプ２１からの暖気は、矢印Ａで示されるように床下空間１９から通気層１８に入り込み、通気層１８内を天井に向けて上昇していく。これにより壁暖房の作用が発揮されるので、床から天井までの垂直温度分布がほぼ一定となって、室内全体を満遍なく且つ均一に暖房することができる。
【００１７】
一方、夏季などにおいて冷房を必要とする場合は、屋根裏空間２０に設置したエアコン２３をＯＮにする。エアコン２３からの冷気は配管２４を介して部屋に送り込まれて該部屋を冷房するが、同時に、屋根裏空間２０にも冷気が放出される。そして、前述のように屋根裏空間２０は壁内の通気層１８に連通しているので、エアコン２３から屋根裏空間２０に放出された冷気は、矢印Ｂで示されるように屋根裏空間２０から通気層１８に入り込み、通気層１８内を床下空間１９に向けて下降していく。これにより壁冷房の作用が発揮されるので、床から天井までの垂直温度分布がほぼ一定となって、室内全体を満遍なく且つ均一に冷房することができる。
【００１８】
以上に述べたように、本発明によれば、暖房時には暖気が床下空間１９から通気層１８を伝って上昇して壁暖房の作用が発揮され、冷房時には冷気が屋根裏空間２０から通気層１８を伝って下降して壁冷房の作用が発揮されるので、いずれの場合も床から天井までの垂直温度分布がほぼ一定となって、室内全体を満遍なく且つ均一に冷暖房することができる。このため、１〜２階に亘る吹き抜け空間においても垂直温度分布をほぼ一定とした効果的な冷暖房を行うことが可能となる。
【００１９】
この本発明の効果を実証するため、１〜２階吹き抜けの階段ホールにおいて床上１０ｃｍから３６ｃｍおきに温度センサーを１６点設置して測定すると共に、比較のために一般的な在来工法住宅（天井および壁にグラスウール１００ｍｍ、床にポリエチレンフォーム２５ｍｍの断熱材を使用、暖房にはＦＦヒーターを使用）においても同様の温度測定を行ったところ、図２のグラフに示す結果が得られた。すなわち、在来工法住宅の場合は床付近と天井付近との間に１０℃以上の温度差が生じたのに対し、本発明によれば、床から天井に至る６ｍ近い高さ範囲においてほぼ一定の温度分布が得られた。
【００２０】
以上に本発明の好適な実施形態について詳述したが、本発明はこれに限定されるものではなく、特許請求の範囲によって規定される発明の範囲内において様々な変更・変形が可能である。たとえば、本発明では壁構造として内壁と断熱材との間に通気層を設けることが必須であるが、さらに外壁と断熱材との間にも通気層を設けて従来技術と同様の外壁通気工法を同時に採用した木造家屋構造としても良い。
【図面の簡単な説明】
【００２１】
【図１】本発明の木造家屋構造における冷暖房システムの好適な一実施形態を概略的に示すと共にその作用を示す説明図である。
【図２】本発明の木造家屋構造における冷暖房システムの優れた効果を在来工法住宅と比較して示すグラフである。
【図３】従来技術による外壁通気工法の説明図である。
【図４】その壁構造断面図である。
【符号の説明】
【００２２】
１  断熱層
２  外壁
３  内壁
４  通気層
５  軒裏
１０  木造住宅構造
１１  基礎
１２  床
１３  屋根
１４  軒裏
１５  外壁
１６  内壁
１７  断熱層
１８  通気層
１９  床下空間
２０  屋根裏空間
２１  温水パイプ
２２  パネルヒーター
２３  エアコン
２４  配管
Ａ  暖気の流れ
Ｂ  冷気の流れ
【図１】
2008121210.tif 000003
【図２】
2008121210.tif 000004
【図３】
2008121210.tif 000005
【図４】
2008121210.tif 000006